(57)【要約】【課題】  スライド棚と一般用棚のいずれにも充分に利用できるとともに、棚板上面を仕切板によって左右方向に所望の間隔で仕切ることができ、かつ仕切板の着脱も容易にする。【解決手段】  左右に立設した支柱２，２の前面に列設された係止孔３に、後端にフック４を有する左右１対のブラケット５，５を係止し、ブラケット５，５により棚板６を支持してなる商品陳列棚１における、棚板６上面を左右方向に仕切る棚板６の仕切構造であって、棚板６における前後に、左右方向に挿入孔１０を列設した挿入孔列１１，１２を、２列以上設けるとともに、挿入孔列１１，１２の１以上の棚板６下方に、挿入孔１０と連通する連通孔１４を穿設した補助部材１３を設け、かつ下端縁に、挿入孔１０、および連通孔１４に挿着しうる挿入突片１５ａ，１５ｂを備える仕切板１５を取着する。【選択図】        図５
2006014948.tif 000002
【特許請求の範囲】
【請求項１】
左右に立設した支柱の前面に列設された係止孔に、後端にフックを有する左右１対のブラケットを係止し、前記ブラケットにより棚板を支持してなる商品陳列棚における、棚板上面を左右方向に仕切る棚板の仕切構造であって、棚板における前後に、左右方向に挿入孔を列設した挿入孔列を、２列以上設けるとともに、前記挿入孔列の１以上の棚板下方に、前記挿入孔と連通する連通孔を穿設した補助部材を設け、かつ下端縁に、前記２列以上の挿入孔、および前記１以上の連通孔に挿着しうる挿入突片を備える仕切板を取着したことを特徴とする棚板の仕切構造。
【請求項２】
前記補助部材に、棚板に設けた挿入孔列と同様な連通孔列を設け、この連通孔列を前記挿入孔列から上下方向に離散させた形態で、補助部材を棚板下面に取り付けたことを特徴とする請求項１記載の棚板の仕切構造。
【請求項３】
前記補助部材を、棚板の補強としての機能をも併せもたせるようにしたことを特徴とする請求項１または２記載の棚板の仕切構造。  
【請求項４】
左右に立設した支柱の前面に列設された係止孔に、後端にフックを有する左右１対のブラケットを係止し、前記ブラケットにより棚板を支持してなる商品陳列棚における、棚板上面を左右方向に仕切る棚板の仕切構造であって、仕切板の下端縁に設けた挿入突片を、棚板の左右端縁に連設した側板と、棚板を支持するブラケットとの両者で挾持することにより、前記仕切板を、棚板上面の左右端に取着したことを特徴とする棚板の仕切構造。
【請求項５】
棚板の左右端縁に連設した側板よりも、左右内側において、棚板をブラケットをもって支持するとともに、側板とブラケット間の棚板部分に挿入孔を設け、仕切板の下端縁に設けた挿入突片を、前記挿入孔に上方より挿入して、側板とブラケットとの両者で挾持することにより、仕切板を取着したことを特徴とする請求項４記載の棚板の仕切構造。
【請求項６】
請求項１〜３のいずれかに記載の仕切構造と、請求項４または５に記載の仕切構造との両者の仕切構造を備える棚板を設けたことを特徴とする商品陳列棚。
【請求項７】
棚板を前方下向きに傾斜させたことを特徴とする請求項１〜６のいずれかに記載の棚板の仕切構造、または商品陳列棚。
【請求項８】
棚板上面にエンボス加工を施したことを特徴とする請求項７記載の棚板の仕切構造、または商品陳列棚。  
【発明の詳細な説明】
【技術分野】
【０００１】
本発明は、棚板上面を、仕切板により、左右方向に仕切る構造、およびその構造を備える商品陳列棚に関する。
【背景技術】
【０００２】
前方下向きに傾斜させた棚板上に、缶ビールやペットボトル商品等を、横向きに、あるいは縦向きに多数並べて載置した商品群のうち、最前位の商品を取り出したときに、後位に並ぶ商品群が、それぞれ前位に滑動するようにしたスライド式の商品陳列棚は、公知である（たとえば、特許文献１、２）。
【０００３】
特許文献１には、前方下向きに傾斜させた棚板に載置される商品群の最前位の商品の前方に、左右方向の水平杆を架設するとともに、棚板上面を左右に区画する前後方向の仕切板を、その下端縁を、棚板の上面に多数形成した前後方向の溝条に嵌合させ、かつ、仕切板の前端部より起立させた係止片を前記水平杆に係着させたスライド棚が記載されている。      
【０００４】
また、特許文献２には、棚板に相当する本体ベースに、商品の移動方向と直角に、商品を支持するためのローラを並列して回転自在に架設するとともに、左右に区画する仕切板を設けた商品陳列棚が記載されている。
【０００５】
しかし、いずれの場合も、スライド棚専用の棚板として形成されており、そのため一般用棚板として利用することは、困難である。
【特許文献１】実公平７−１０１６号公報（図６参照）
【特許文献２】特許第３２０８７３３号公報（図２参照）
【発明の開示】
【発明が解決しようとする課題】
【０００６】
本願発明は、前記の現状に鑑み、スライド棚と一般用棚のいずれにも充分に利用できるとともに、仕切板によって区画される１区画における左右方向の棚幅が調節可能であり、かつ前記仕切板の着脱も自在である棚板の仕切構造、およびそれを備える商品陳列棚を提供することを目的とする。
【課題を解決するための手段】
【０００７】
上記課題は、特許請求の範囲における各請求項に示すように、下記の構成を備える発明によって解決される。
（１）左右に立設した支柱の前面に列設された係止孔に、後端にフックを有する左右１対のブラケットを係止し、前記ブラケットにより棚板を支持してなる商品陳列棚における、棚板上面を左右方向に仕切る棚板の仕切構造であって、棚板における前後に、左右方向に挿入孔を列設した挿入孔列を、２列以上設けるとともに、前記挿入孔列の１以上の棚板下方に、前記挿入孔と連通する連通孔を穿設した補助部材を設け、かつ下端縁に、前記２列以上の挿入孔、および前記１以上の連通孔に挿着しうる挿入突片を備える仕切板を取着する。
【０００８】
（２）上記（１）項において、前記補助部材に、棚板に設けた挿入孔列と同様な連通孔列を設け、この連通孔列を前記挿入孔列から上下方向に離散させた形態で、補助部材を棚板下面に取り付ける。
【０００９】
（３）上記（１）項または（２）項において、前記補助部材を、棚板の補強としての機能をも併せもたせるようにする。
【００１０】
（４）左右に立設した支柱の前面に列設された係止孔に、後端にフックを有する左右１対のブラケットを係止し、前記ブラケットにより棚板を支持してなる商品陳列棚における、棚板上面を左右方向に仕切る棚板の仕切構造であって、仕切板の下端縁に設けた挿入突片を、棚板の左右端縁に連設した側板と、棚板を支持するブラケットとの両者で挾持することにより、前記仕切板を、棚板上面の左右端に取着する。
【００１１】
（５）上記（４）項において、棚板の左右端縁に連設した側板よりも、左右内側において、棚板をブラケットをもって支持するとともに、側板とブラケット間の棚板部分に挿入孔を設け、仕切板の下端縁に設けた挿入突片を、前記挿入孔に上方より挿入して、側板とブラケットとの両者で挾持することにより、仕切板を取着する。
【００１２】
（６）上記（１）項〜（３）項のいずれかに記載の仕切構造と、上記（４）項または（５）項に記載の仕切構造との両者の仕切構造を備える棚板を設ける。
【００１３】
（７）上記（１）項〜（６）項のいずれかにおいて、棚板を前方下向きに傾斜させる。
【００１４】
（８）上記（７）項において、棚板上面にエンボス加工を施す。
【発明の効果】
【００１５】
本発明によると、次のような効果が奏せられる。
請求項１記載の発明によれば、仕切板の下端縁の挿入突片を、棚板の挿入孔、および補助部材の連通孔に、単に挿着脱するだけで、仕切板を容易に棚板に着脱できるとともに、棚板上面に大きな凹凸がないため、スライド棚と一般用棚のいずれにも充分に利用できる。
【００１６】
また、左右方向に列設された挿入孔、および連通孔を適宜選択して、仕切板を取着することにより、仕切板によって区画される１区画における左右方向の棚幅を、所望の幅に調節することができる。
【００１７】
さらに、仕切板が、棚板の挿入孔と、補助部材の連通孔の両者をもって支持されているため、仕切板をぐらつくことがないように強固に取付けることができる。
【００１８】
請求項２記載の発明によれば、連通孔列が、挿入孔列と同様に形成されているため、仕切板によって区画される１区画における左右方向の棚板を、微調節することができる。
【００１９】
また、連通孔列が、挿入孔列から上下方向に離散した形態で設けられているため、仕切板を、一層ぐらつくことがないように強固に取付けることができる。
【００２０】
請求項３記載の発明によれば、棚板の補強部材を別途設ける必要がなく、特に左右幅の広い棚板を低コストで製作することができる。
【００２１】
請求項４記載の発明によれば、棚板の左右端縁に設ける仕切板を、側板とブラケットを利用して、ぐらつくことがないように強固に棚板に取付けることができる。
【００２２】
請求項５記載の発明によれば、仕切板の下端縁に設けた挿入突片を、棚板に設けた挿入孔に上方より、単に挿入することにより、容易に仕切板を棚板に取付けることができる。
【００２３】
請求項６記載の発明によれば、請求項１〜３の効果として記載したものと、請求項４または５の効果として記載したものとの両者の効果が奏せられる。
【００２４】
請求項７記載の発明によれば、スライド棚として有用に利用することができる。
【００２５】
請求項８記載の発明によれば、スライド棚として利用した場合に、最前位の商品を取り出した際の、後位に並ぶ商品群の前方への滑動が円滑になるという効果が奏せられる。  
【発明を実施するための最良の形態】
【００２６】
以下、本発明の実施形態を、図面に基づいて説明する。
【実施例１】
【００２７】
図１は、本発明の棚板の仕切構造を備える商品陳列棚の部分斜視図、図２は、図１に示す商品陳列棚の側面図、図３は、同じく平面図、図４は、図３における円Ａ部分の要部拡大底面図、図５は、図３におけるＶ〜Ｖ線断面図、図６は、図５における円Ｂ部分の要部拡大図である。
【００２８】
本発明における商品陳列棚(100)は、図１に示すように、左右に立設し、背面パネル(１)によって連結された支柱(２)(２)の前面(2a)に列設された係止孔(３)に、後端にフック(４)を有する左右１対のブラケット(５)(５)が係止され、前記ブラケット(５)(５)により棚板(６)を支持して構成されている。
【００２９】
棚板(６)は、平面視において左右方向に長い四辺形をなし、その上面には、全体に亘ってエンボス(6a)が施されているとともに、図２，図３に示すように、前方下向きに傾斜し、棚板(６)の下面における前後には、側面視において逆ハット状の左右方向に長尺の補強部材(７)(７)が設けられている。
【００３０】
棚板(６)の前端縁(6b)には、溝部(6c)が形成され、この溝部(6c)内に下端縁が嵌挿されて立設された落下防止板(８)により、棚板(６)上に載置した缶ビール等の商品群(９)の落下が防止されるようになっている。
【００３１】
棚板(６)における前後には、図３に示すように、前後方向のスリットからなる挿入孔(10)が、左右方向に多数列設された挿入孔列(11)(12)が、２列設けられている。
【００３２】
棚板(６)における、後部の挿入孔列(12)が設けられた部分の下面には、図４〜図６に示すように、側面視において逆ハット状の左右方向に長尺の補助部材(13)が設けられており、その補助部材(13)には、前記挿入孔列(12)と同様に、前後方向のスリットからなる連通孔(14)が、左右方向に多数穿設されており、これらの連通孔(14)は、前記挿入孔(10)と連通しているとともに、両者は、上下方向に離散している。
【００３３】
図５，図６に示すように、下端縁の前後に、挿入突片(15a)(15b)を有する仕切板(15)が、前部の挿入突片(15a)が、前部の挿入孔列(11)における挿入孔(10)に挿入され、後部の挿入突片(15b)が、後部の挿入孔列(12)における挿入孔(10)、および補助部材(13)における連通孔(14)に挿着された状態で、棚板(６)に取着されている。
【００３４】
後部の挿入突片(15b)が挿入される挿入孔(10)と連通孔(14)は、上下方向に離散しているため、仕切板(15)のぐらつきが良好に防止されている。このような仕切板(15)を、複数枚用いて、棚板(６)上面を、左右方向に所望の間隔で、容易に仕切ることができる。
【００３５】
補助部材(13)は、側面視において逆ハット状を有し、左右方向に長尺であるため、棚板(６)の補強としての機能をも併せ有している。
【００３６】
図７は、図３における円Ａ部分の要部拡大平面図、図８は、同じく図３における円Ａ部分の要部拡大分解斜視図、図９は、図７におけるIX〜IX線断面図である。図４、および図７〜図９に示すように、棚板(６)の左右端縁には、前後方向に長尺の側板(16)が連設されている。側板(16)は、正面視において逆Ｌ字状をなし、水平片(16a)と鉛直片(16b)とより形成されている。
【００３７】
側板(16)は、図８において、仮想線で示すように、水平片(16a)を、左右方向の内側に向けて、棚板(６)の左右端下面に当接させて棚板(６)に取付けられている。
【００３８】
棚板(６)の左右端縁における、前記挿入孔列(12)と前後方向の同じ位置には、切欠(17)が設けられているとともに、前記切欠(17)に対応して、側板(16)における水平片(16a)にも切欠(16c)が設けられている。これら両者の切欠(17)(16c)によって、挿入孔(18)が形成されている。
【００３９】
支柱(２)に係止されたブラケット(５)は、前記挿入孔(18)が、側板(16)とブラケット(５)の両者間に位置するように側板(16)よりも左右方向の内側において棚板(６)を支持している。
【００４０】
棚板(６)上面の左右端には、下端縁の前後に挿入突片(19a)(19b)を備える仕切板(19)が取着されている。仕切板(19)は、前後の挿入突片(19a)(19b)が、前記挿入孔(18)（前部の挿入孔は図示を省略）に挿入されるとともに、側板(16)とブラケット(５)の両者をもって挟持されることにより、ぐらつかない状態で棚板(６)上面の左右端に取付けられている。
【図面の簡単な説明】
【００４１】
【図１】本発明の棚板の仕切構造を備える商品陳列棚の部分斜視図である。
【図２】図１に示す商品陳列棚の側面図である。
【図３】同じく、図１に示す商品陳列棚の平面図である。
【図４】図３における円Ａ部分の要部拡大底面図である。
【図５】図３におけるＶ〜Ｖ線断面図である。
【図６】図５における円Ｂ部分の要部拡大図である。
【図７】図３における円Ａ部分の要部拡大平面図である。
【図８】同じく図３における円Ａ部分の要部拡大分解斜視図である。
【図９】図７におけるIX〜IX線断面図である。
【符号の説明】
【００４２】
(100)商品陳列棚
(１)背面パネル
(２)支柱
(2a)前面
(３)係止孔
(４)フック
(５)ブラケット
(６)棚板
(6a)エンボス
(6b)前端縁
(6c)溝部
(７)補強部材
(８)落下防止板
(９)商品群
(10)挿入孔
(11)(12)挿入孔列
(13)補助部材
(14)連通孔
(15)仕切板
(15a)(15b)挿入突片
(16)側板
(16a)水平片
(16b)鉛直片
(16c)切欠
(17)切欠
(18)挿入孔
(19)仕切板
(19a)(19b)挿入突片
【図１】
2006014948.tif 000003
【図２】
2006014948.tif 000004
【図３】
2006014948.tif 000005
【図４】
2006014948.tif 000006
【図５】
2006014948.tif 000007
【図６】
2006014948.tif 000008
【図７】
2006014948.tif 000009
【図８】
2006014948.tif 000010
【図９】
2006014948.tif 000011